(57)【要約】  上記曲がったパネル（５０〜５６）は、特にバックレスト（３０、５０）が座り状態に上がった場合、患者の体形とより良く合わせ、しかも、上記マットレス支持部材（５０〜５６）の長さが効果的に伸びる。上記支持パネル（５０〜５６）は上記フレーム（２２）の枢動点の下側に配置されて、長さの伸び効果がさらに向上される。上記組立品は、さらに、互いに摺動できる相補的な端縁（９２、９４）を有する第１と第２の患者保持パネル（８０、８２）を備えている。キーパッドユニット（１００）は上記保持パネル（８０）の患者にとって便利なところから突き出ており、患者の手で掴まえられるようになっている。
2009501589.tif 000002
【特許請求の範囲】
【請求項１】
マットレス支持部材の横断方向において曲がった実質上剛性のバックレストセクションを含む、ベッド用マットレス支持部材。
【請求項２】
当該マットレス支持部材は、バックレストセクションと、サイレストセクションと、レッグレストセクションとを含む複数の実質上剛性の支持セクションとから形成され、且つ前記支持セクション同士が相対的に移動可能である、請求項１に記載のマットレス支持部材。
【請求項３】
前記サイレストセクションとレッグレストセクションの一方または両方が、当該マットレス支持部材の前記横断方向において曲がる、請求項２に記載のマットレス支持部材。
【請求項４】
シートセクションを含む、請求項２または３に記載のマットレス支持部材。
【請求項５】
前記シートセクションが、当該マットレス支持部材の前記横断方向において曲がる、請求項４に記載のマットレス支持部材。
【請求項６】
当該マットレス支持部材における前記１または複数のセクションが着脱可能なものである、請求項１〜５のいずれかに記載のマットレス支持部材。
【請求項７】
着脱可能な前記セクション又はそれぞれのセクションには、前記セクションを当該マットレス支持部材のフレームに固着させるための固着手段が配置されている、請求項６に記載のマットレス支持部材。
【請求項８】
前記固着手段において、スナップ嵌合固着部材を含む請求項７に記載のマットレス支持部材。
【請求項９】
当該マットレス支持部材における前記１または複数のセクションが、プラスチック材からブロー成形によって成形されるものである、請求項１〜８のいずれかに記載のマットレス支持部材。
【請求項１０】
フレームと、複数のマットレス支持パネルを保持させるように前記フレームにカップリングされ且つ前記フレームから懸架される複数の横方向支持支梁と、前記フレームに設けられ、前記フレームを様々な形状に姿勢調整するための複数のヒンジと、を含み、
また前記１または複数のセクションが前記横方向支持支梁に支持されることができる、請求項１〜９のいずれかに記載のマットレス支持部材。
【請求項１１】
前記ヒンジと前記懸架される支持素子とから構成される枢動装置によって前記セクションの中の一つが上向きに枢動する場合、隣接するマットレス支持素子間の分離度とそれによるパネル間の分離度を増大することができる、請求項１０に記載のマットレス支持プラットホーム。
【請求項１２】
前記ヒンジと前記懸架される支持素子とから構成される枢動装置によって前記セクションの中の一つが下向きに枢動する場合、隣接するマットレス支持素子間の分離度とそれによるパネル間の分離度を減少することができる、請求項１０または１１に記載のマットレス支持プラットホーム。
【請求項１３】
前記ヒンジと前記懸架される支持素子とによる枢動動作は、前記サイレストセクションが前記枢動動作により枢動されるとともに上げられる、請求項１０、１１または１２に記載のマットレス支持プラットホーム。
【請求項１４】
請求項１１〜１３のいずれかに記載のマットレス支持プラットホームを含む、ベッド組立品。
【発明の詳細な説明】
【技術分野】
【０００１】
本発明は、ベッド組立品及びマットレス支持部材に関する。
【背景技術】
【０００２】
現在の病床は、一般に様々な形に姿勢調整できるように設けられている。一般的には、傾斜或いは他の手段での移動によって患者のベッドにおける姿勢を変更することができる複数のセクションが備えられる。その例としては、通常、略水平状態から上がった座り状態に枢動可能であるバックレストセクションと、略水平状態から膝の上がり状態に枢動可能であるサイレストセクションと、当該サイレストセクションにカップリングされ、それと共に上がりながら、両足を上がり状態または下がり状態に維持可能であるレッグレストセクションとが備えられている。このような機能を有するベッドは、この技術分野において良く知られて、一般的にうまく働いている。しかしながら、このようなベッドを操作する場合、特に上記ベッドセクションの中の一方が隣接するベッドセクションに対して上向きに回転する時、患者を特に不快にさせる圧迫感を与える恐れがある。さらに、このようなベッドは長期間横になっていた患者に不快感を感じさせ、最悪の場合は、床ずれやその他の疾患を引き起こすおそれがある。
【発明の開示】
【発明が解決しようとする課題】
【０００３】
本発明は改善されたベッド組立品及びマットレス支持部材を提供することをその目的としている。
【課題を解決するための手段】
【０００４】
本発明の一側面によれば、マットレス支持部材の横断方向において曲がったバックレストセクションを備えているベッド用の実質上剛性のマットレス支持部材を提供する。
【０００５】
曲がったバックレスト支持部材は、患者の快適度を向上することができることが確認されている。勿論、それは、従来の水平状態のマットレス支持部材では、患者による最大圧力領域、即ち、患者の体の突出部において、特定の加圧点が生じるからである。マットレスは弾力性があるものの、上述した欠点を部分的にしか低減できない。曲がったバックレスト支持部材は、患者の背部湾曲によりぴったりと適合するので、より均一に支持することができる。さらに、このような曲がったバックレストは、より広い接触領域が形成される。よって、患者の体重による圧力がより均一に分散されるので、床ずれやその他の疾患を引き起こす高圧力領域が低減されることは明らかである。
【０００６】
好ましい実施例において、上記マットレス支持部材は、バックレストセクションと、サイレストセクションと、レッグレストセクションとからなる互いに相対的に移動可能な複数の実質上剛性のマットレス支持セクションから構成されている。また、シートセクションが備えられても良いが、実施例によっては、このシートセクションは単にバックレストセクションとサイレストセクションとのヒンジ領域のみでも良い。
【０００７】
曲がったバックレストセクションによれば、上記マットレス支持部材は、上記バックレストセクションの中央部である最下部が上向きに枢動する時にシートセクションから離れるように配置することができる。これは、この患者が座り状態まで上がる動作中、患者の背部が引き伸ばしによって長くなる傾向があるので、重要な利点を持っている。したがって、バックレストセクションにおける最下部がシートセクションから離れる動作は、患者の引き伸ばしに対応するように、マットレス支持部材を効果的に伸張させる。マットレス支持部材の上におけるマットレスは一般的に弾力性を有するので、このような伸びに対応できる。
【０００８】
サイレストセクションとレッグレストセクションともマットレス支持部材の横断方向において曲がることが好ましい。設置されるシートセクションもこのように曲がることが望ましい。
【０００９】
曲がったシートセクションやサイレストセクションが備えられることにより、バックレストセクションにおける最下部がシートまたはサイレストセクションから離れる量が増えるので、マットレス支持部材の伸び量も増加される。
【００１０】
膝窩が上げられるような場合、上記セクションが下向きに枢動しながら一緒に移動できるように構成されている。この構成に利点がある理由としては、従来の技術システムのような、マットレスに引き伸ばし効果を与えることなく、圧縮効果を与えることにある。この引き伸ばし効果のためマットレスは膝窩において十分な支持が実現されないが、上記した本発明の構成において、その支持特性が膝窩やその他の位置に維持されるように、マットレスに対して圧縮が付与される。
【００１１】
上記マットレス支持部材におけるセクションは、洗浄などのために、着脱可能であることが望ましい。
【００１２】
好ましい実施例において、マットレス支持部材における各部分は、プラスチック材からブロー成形によって成形されている。これにより、軽量で剛性であり、且つ上述したように例えば洗浄するためにベッドから取外す時に、医者・看護師により容易に操作できるセクションが形成される。
【００１３】
本発明の他の側面によれば、本願において説明されるプラットホームを含むベッド組立品を提供する。
【発明を実施するための最良の形態】
【００１４】
以下、下記のように図面を参考にしながら、本発明にかかる実施態様を説明する。
【００１５】
図１には、４つのキャスター１４を有するキャスター付きベース１２と、ヘッドボード１６と、フットボード１８とを備えたベッド組立品１０の好ましい実施態様が示されている。ベッドプラットホーム２０は上記ベース１２にカップリングされており、上記ベース１２の上側で一つ以上の電気アクチュエーター（図示せず）により上げ下げして、または、傾けることができるが、上記と同じく従来型である。
【００１６】
プラットホーム２０はフレーム２２を有してもよいが、この実施例においては、フレーム２２が４段のフレームセクション２４、２６、２８及び３０から形成されており、これらの４段のフレームセクションがヒンジ３２、３４及び３６によって互いにカップリングされている。フレーム２２については、一般的に金属または合金から構成される。
【００１７】
フレームセクション２４〜３０のそれぞれは、略垂直な内側壁３８（特に図２と図３とが明確に示している）と懸架される複数の横方向支梁４０（特に図３と図４とが明確に示している）とを具備する上部フレーム部材を備えており、これによって、この実施例においては、４つのマットレス支持パネル５０、５２、５４及び５６を支持するための凹形支持面が形成される。これらのパネル５０〜５６と枢動フレーム部材２４〜３０とによって、一般的に上記性質を持っている類似のベッドにも備えられるバックレストセクション、シートセクション、サイレストセクション及びレッグレストセクションがそれぞれ形成される。
【００１８】
上部フレーム部材２４〜３０には、ヒンジ３２、３４及び３６が設置されており、図２、図３及び図７〜９から分かるように、上記ヒンジによって、フレーム部材がヒンジ３２〜３６の回りをそれぞれ互いに対して枢動できるようになる。これについての詳細は、下記に記載する。ヒンジ３２〜３６は上部フレーム部材２４〜３０の中に埋め込まれており、略平滑な外部表面を有するように形成されており、それにより、患者または医者や看護士をいかなる不適感やけがからも保護できる。
【００１９】
図１に示すように、上から見た時のベッドプラットホーム２０は上面が凹形を呈するように、マットレス支持パネル５０〜５６が曲がっている。パネル５０〜５６は、フレーム側壁３８の下に配置されているが、パネル５０〜５６の上に置かれたマットレスがフレーム２２内に良く合うためにフレーム側壁３８から十分に離れることが好ましく、このように、フレーム２２の側壁３８によるほぼ垂直な側面により保持されるようになる。上記離れる間隔はこのようなベッドに用いられる従来のマットレスの高さに近くてもよいが、マットレスの上面が上記フレーム２２より上に伸び、患者を快適に上記フレーム２２の硬い面より高く載せるために、（図１１に示すように）上記高さより小さいことが好ましい。
【００２０】
マットレス支持パネル５０〜５６の少なくとも一部が着脱可能であることが好ましく、またブロー成形により何れかの適切なプラスチック材料から成形されることが望ましい。上記パネル５０〜５６には剛性がある。
【００２１】
パネル５０〜５６における切欠部６０は、パネル５０〜５６を容易にベッド１０から取外し且つそれを制御するためのハンドルとして利用される。パネル５０〜５６の下側表面にも、横方向支梁４０にスナップしてパネルを適当な箇所に固定するためのスナップ嵌合部材５５（図１０に一部が見える）を配置することが好ましい。好ましい実施例においては、スナップ嵌合部材のそれぞれは、パネル５０〜５６の下面を越えて伸びる一つ以上の突出部から形成されており、この突出部がスナップ嵌合グリッパを形成する曲面を有するが、このスナップ嵌合グリッパが上記支梁４０にスナップされている。
【００２２】
図１には、さらに２つの患者保持パネル８０、８２が示されている。通常は、ベッド組立品１０の他方の側に、対応の保持パネルが配置されるが、明瞭であるためこれについては、図１では省略した。この技術分野における既知のものであってもよいこれらのパネルは、表示される上がり位置と下がり位置の間で変換可能であるが、下がり状態においては、パネルがベッドマットレスの水平面の下に位置するために、フレーム２２に沿って横になっている。パネル８０、８２によって、上がり状態においては、患者をベッドの上に保持することができるが、下がり状態においては、患者がベッドに昇ること及びそこから降りることができるとともに、患者との間を妨げられないアクセスを提供する。
【００２３】
図２は、椅子のように姿勢調整された図１におけるベッド組立品を示す。このような状態において、バックレスト３０、５０はバックレストセクション３０とシートセクション２８との間のヒンジ３２の枢動によって上げられる。上記に示した状態において、サイレスト５４とレッグレスト５６との間のヒンジ点３６も上げられる。ヒンジ３６のこの上がり配置が膝窩に相当し、図２に示す状態において、患者の両膝を上げながら身を起こすようにする。
【００２４】
フレーム２２の各種のセクション２４〜３０は、説明したように、ベッド組立品１０に設置された一つ以上のアクチュエーターによって移動することができる。アクチュエーターは、この技術における周知なものであり、また、上記アクチュエーターを制御するための制御システムのタイプも周知であるので、ここではさらに詳しく説明しない。
【００２５】
ベッドセクション２４〜３０とアクチュエーターによって、ベッドが図１に示す横状態から改めて図２に示す座り状態にされてもよく、その他に、例えば、患者のレッグが略水平になるように、ヒンジ３６における膝窩を上げるとともにレッグレストセクション２４も上向きに上がるような姿勢を含む多種の姿勢にしてもいい。後者の姿勢としては、レッグレストセクション２４にカップリングしてこのような移動を実現するためのアクチュエーターが形成されている。この技術分野においては、このアクチュエーターの設置は周知であるので、ここではさらに詳しく説明しない。
【００２６】
図２にはサブフレーム４２も示されており、通常、シートセクション２８に取り付けられるとともにアクチュエーター及びコントロールユニットにも取り付けられ、これにより、プラットホーム２０が支持される。サブフレーム４２によって支梁４４も支持されており、上記支梁４４によってサブフレーム４２がベース１２に対して上がったり下がったりし、このため、プラットホーム２０もベース１２に対して上がったり下がったりする。当該サブフレームは本願と同じ日付で出願された本出願人の所有する同時係属出願である英国特許出願第０５２３１７４．１号に記載された目的物であるので、ここではさらに詳しく説明する必要はない。
【００２７】
図３には、図２におけるベッド組立品１０の斜視図であるが、明瞭に示すためにマットレス支持パネル５０〜５６、ヘッドボード１６、フットボード１８、患者保持パネル８０、８２及び図２に示される他の多くの構成部品を省略した。
【００２８】
この図面では、フレーム２２から懸架される横方向支梁４０が明確に見える。図４を見ればより明らかに分かるように、マットレス支持パネル５０〜５６を支持するための上記横方向支梁は、必要な数だけ必要な場所に配置し、プラットホーム２０の下にあるベッドの部品に容易にアクセスすることとなる。この実施例においては、バックレストセクション３０には、ベッドのこのセクション３０に支持される負荷の大きさを考慮して、横支梁４０が３本配置されているが、その他のセクション２４〜２８にはそれぞれ２本配置されている。勿論、支梁に十分な強さがあれば、セクション３０に２本のみ配置してもよい。
【００２９】
バックレストセクション３０、サイレストセクション２６及びレッグレストセクション２４において、隣接する２本の横方向支梁４０の間に、縦に伸びる補強支梁４１が配置されている。
【００３０】
横方向支梁４０の横断面は一般的に矩形であり、これによって、マットレス支持パネル５０〜５６の下面に設けられた留め金と緊密にカップリングされるので好ましい。
【００３１】
図３には、さらに、フレームセクション２４〜３０を移動するためのアクチュエーター４３の中の二つが示されている。図３から分かるように、これらのアクチュエーターはサブフレーム４２に固着している。
【００３２】
図４には、図３におけるベッドの特徴が平面図で示されている。ただし、フレーム２０がフラットに配置されている。中実の移動できないフラットベースではなく、容易に移動可能なマットレス支持パネル５０〜５６と支持用支梁４０、４１であることによって、フレーム２２の下に配置されたベッド１０の構成部品に容易にアクセスすることができることが分かる。この場合、アクチュエーター４３が容易に見え、またベッド１０の上からフレーム２２を通してアクセスしてもよいが、通常、このようなベッド組立品が有する、例えばコントロールユニット（見えない）等のその他の構成部品も同様である。これによって、ベッドの上からこれらの構成部品を修理できるようになり、即ち、ベッドをひっくり返したり、または俯せたりする必要がなくなった。
【００３３】
図５Ａと図５Ｂには、マットレス支持パネル５６が配置されたフレーム２２のフットセクション２４の詳細が示されている。フットセクション２４の末端が伸張可能に形成されている。この伸張は、末端支梁１１０の各端に、それぞれ第１と第２の平行ロッドや平行チューブである１１２、１１４の中の一つを配置することによって達成される。図５Ａ及び図５Ｂに示すように、これらのロッドは、フットレストセクション２４を形成する支梁１１６、１１８の内部形状に合致する横断形状を有することにより、この支梁１１６、１１８の中で摺動可能になる。図５Ａから分かるように、フットレストセクション２４が伸張状態にある場合、ロッド１１２、１１４によってフレーム２２の側壁が伸張されて、さらにサイド支持面が完全にフレーム２２全体の周囲に位置される。
【００３４】
第１と第２のラッチまたはロック１２０は各ロッド１１２を後退・伸張位置にロッキング用のものである。ラッチ１２０は、単にロッド１１２、１１４における適当な目開きまたはボアに取り付けられるバネピンであってもよいが、ロッド１１２にきつく当接するネジロックであってもよい。ラッチやロックのタイプは重要なものではない。
【００３５】
図６では、平面図で図１及び図２におけるベッドのマットレス支持パネル５０、５２の配置を模式的に示している。ベッド１０のバックレストセクションを形成する支持パネル５０は、第一の端壁６２と対向端壁６４とを備える。ベッド１０のシート部を形成するマットレス支持パネル５２は、第一の端壁６６と第二の端壁６８とを備える。上記壁６２と６６は、図６に示すように互いに隣接している。
【００３６】
ベッドが平坦な状態にある場合、図６の実線及び図１に示されるように、前述した２つのパネル５０、５２の間の間隔は距離ｄとして示されるが、パネル５０〜５６に敷かれたマットレス上にいる患者に対して何ら不良な影響をも与えずに支持できるような適当な距離であれば、距離はいくらであってもよい。距離ｄは通常数ｃｍであるが、１０ｃｍ程度になることが多い。
【００３７】
一方で、支持パネル５０は図２に示すように枢動して上がって患者の座り状態にある場合、パネル５０、５２の端壁６２、６６の間の距離はそれぞれ図６に示す距離Ｄまで増加する。距離Ｄは、２つのパネルが水平状態の場合の距離ｄよりかなり大きくなっていることが確認できる。
【００３８】
上記した二つの端壁６２、６６の間の距離の増加は、二つの要因がある。一つは、パネル５０、５２における曲がり及び枢動点がパネルの側辺に存在することにある。パネル５０、５２の中心がほぼ側辺の下に存在し、さらに枢動運動の際にこのような距離増加が発生する。もう一つは、枢動軸３２がパネル５０、５２の最高点よりも高い位置に上がった（すなわち、上げられた側辺よりも高くなった）ことにより、さらにパネル５２から離間するように、端部７０の部位も含んで移動が行われることにある。
【００３９】
このような間隔の増大は望ましいことである。それは、人が横になった状態から座り状態に変換する場合、曲げるところにおいて（すなわち、患者の背部と下の腿との間において）引き伸ばしが生じるからである。したがって、このようなディザインは人体の引き伸ばしに適合するので、一層患者を快適にさせる。ほぼ上記マットレス支持セクションの配置レベルにおける枢動点を有し、且つほぼ平坦なマットレス支持セクションを有する従来技術によるベッドは、上記セクションの間の間隔増加による利益を得られず、これにより、上記マットレス支持ベースの有効長さの増加による利益も得られない。これらのベッドは患者を挟む作用を与える。
【００４０】
以上の二つの素子は個別に提供されてもよいが、伸び効果が低下することは明確であろう。
【００４１】
図７は、椅子のように姿勢調整された図１におけるベッドの平面図を示し、図８は、図７におけるベッドのヘッド側の拡大図を示す。図１と図７及び図８とを比較すると、横状態から座り状態になった時にパネル５０、５２の端縁６２、６６の間の間隔の増加が分かる。
【００４２】
サイレストセクション５４において、このような構造によるプラットホーム２０の他の有利な特徴が存在している。図１に示すように、プラットホーム２０がフラットに配置された場合、サイレストパネル５４とレッグレストパネル５６の間の間隔Ｄ’は比較的大きい。しかしながら、図９に示すように、ヒンジ３６が上げられて膝窩に形成される時には、この間隔がｄ’に著しく短縮される。この間隔短縮によってマットレスの下面が縦方向に圧縮されるが、これはマットレス支持部材５４、５６全体が長手方向において短縮されるからである。これによって、マットレスと患者の後膝部との接触を維持できるようになる。サイレストセクションとレッグレストセクション５４、５６の間の間隔をそのまま維持する場合のように、縦方向にこのようなマットレスの圧縮が発生しないと、マットレスが膝窩上方において伸ばされて患者の後膝部と接触しなくなるおそれがあり、さらにその発揮すべき支持効果を失うこととなる。
【００４３】
図１０にはベッドが椅子のように姿勢調整されたマットレス支持パネル５０〜５６が示されている。このような状態でのパネル間の間隔が明確に見られる。ただし、図１０にはサイレストセクション５４の移動に関する他のさらなる特徴が明らかにに存在する。図１０に示すように、サイレストセクションが図面のように上向きに枢動すると、サイレスト５４の後端縁１１１がシートセクションの前端縁１１３より高くなる。その理由としては、後端縁１１１がベッドの長手方向に沿ってヒンジ３４から縦に離間していることにある。このため、ヒンジ３４の回りをフレームセクション２８が枢動すると、パネル５４は枢動だけでなくそのレスト状態から上がるようになる。サイレストパネル５４のこのような上がりによって、従来の配置可能なベッド組立品に比べると、患者の大腿の下部がより良く支持できる。
【００４４】
図１１では、患者をベッド上に保持するための患者保持パネル８０、８２が一層良く見えるように、横に姿勢調整されたベッド１０を示す。パネル８０、８２は一般的にプラスチック材またはプラスチッククラッド層により被覆されている金属から構成される。
【００４５】
特に図２から分かるように、患者保持パネル８０は、ベッド１０のバックレストセクションが形成されるフレーム部材３０にカップリングされ、またそれと共に移動可能なものである。患者保持パネル８２は、フレーム２２におけるシートセクション２８にカップリングされて、実際に移動しないものである。その理由は、この実施例におけるシートセクション２８がフレーム２２の固定部材（但し、フレーム２２が上がり下がりまたは傾斜の場合にそれと共に移動することは勿論である）であることにある。
【００４６】
特に図２から良く分かるように、バックレストセクション３０、５０が患者の座り状態に上向きに枢動する場合、患者保持パネル８０は保持パネル８２の上方に移動する。これを目的として、パネル８０は、保持パネル８２の凸形の面９４と対向する凹形の面９２を含む。パネル８０がパネル８２の回りに上向きに移動すると、面９２がこの二つの面９２と９４との間を略同じ間隔ｇで面９４の上を摺動する。これに従って、上記二つのパネル８０、８２の組み合わせでは、上記保持パネル８０の移動中において、上記二つのパネルの間で患者または医師・看護師の体の一部をとらえる何らかの隙間縮小が発生することなくほぼ連続した支持面が形成される。
【００４７】
図１１と図１２とから明らかに分かるように、キーパッド（図示せず）を支持するためのユニット１００の好ましい実施例の実例が模式的に示され、上記キーパッドによって、患者がベッド１０の種々の機能を実現させる。
【００４８】
この実施態様においては、キーパッドユニット１００は、患者支持パネル８０の略外周境界を越えて、ベッド１０の足端に向く方向へ延出する突出部材１０２を具備する。ユニット１００が患者保持パネル８０に配置され、これによって、バックレストセクション３０、５０が移動する時に、ユニット１００のバックレストセクション３０、５０に対する位置が維持され、且つこれによってベッド１０に横になっている患者に対する位置を維持するように、上記パネルと共に移動する。ユニット１００は、図１２を見れば明らかに分かるように、ベッドにいる患者がベッド側の手を利用して容易に接触できるように配置されている。ユニット１００の位置については概ね、ベッド１０に横になる、またはそこに座った患者の肩のところにあると記述しても良い。
【００４９】
図１２から、ユニット１０は、患者が指をユニット１００の外側に置き、それからユニット１００の内側または患者側にあるキーパッド（図示せず）を操作することができるような形状や構造を持っていることも分かる。したがって、患者がユニット１００の後ろ側からキーパッドのボタンを押し付ける圧力の方向と反対の圧力をかけることができ、これによって、実際にユニット１００を安定化させる。このような特徴は、患者支持パネルに配置される従来のキーパッドとは異なる。その理由は、パネルは一般的に若干の柔軟性があるため、従来のキーパッドでは操作しにくい傾向があることにある。
【００５０】
ユニット１００に配置されるキーパッドは従来からこのようなベッドに使用されているものと同等なタイプであるので、ここではさらに詳しく説明しない。
【００５１】
特に図１１を参照すると、ユニット１００が第１と第２のフランジ１０４、１０６を介して患者支持パネル８０に配置されることが好ましく、また、これらのフランジ１０４、１０６は、適当なスナップ嵌合による接続及び／または一つ以上のねじによってパネル８０に固着してもよい。ユニット１００には、ユニット１００のキーパッドとベッド１０の制御システムとの間に必要な電気接続が形成されるように、相補的なソケット/プラグに接続されているプラグ或いはソケットが設置されている。
【００５２】
キーパッドユニット１００の好ましい構造は、ベッド１０に対するユニット１００の取付けに寄与し、また、キーパッドの使用または搬送の際においてある原因で損害を受けた場合にも容易に交換できる。
【図面の簡単な説明】
【００５３】
【図１】上から見た、フラットに姿勢調整されたベッド組立品の好ましい実施例の左側斜視図である。
【図２】上から見た、椅子のように姿勢調整された図１におけるベッド組立品の右側斜視図である。
【図３】椅子のように姿勢調整された、マットレス支持パネルと患者支持パネルが取外された図１と図２におけるベッド組立品を示す。
【図４】図１におけるベッド組立品の一部の平面図である。
【図５Ａ】伸張位置及び伸張されない位置におけるベッド伸張機構を示す。
【図５Ｂ】伸張位置及び伸張されない位置におけるベッド伸張機構を示す。
【図６】平面図によって図１におけるベッドの２段のマットレス支持セクションを模式的に示す。
【図７】図３におけるベッド組立品の平面図である。
【図８】図７における平面図の一部の拡大図である。
【図９】図７における平面図の一部の拡大図である。
【図１０】図１におけるベッド組立品のマットレス支持パネルのみの側面図を示す。ただし、ベッドは椅子のように姿勢調整されている。
【図１１】図１におけるベッド組立品の一部の拡大図である。
【図１２】患者に利用される図１におけるベッドのキーパッドゾーンを示す。
【符号の説明】
【００５４】
１０  ベッド，ベッド組立品，ユニット
２０  フレーム，プラットホーム，ベッドプラットホーム
２２  フレーム
２４  セクション，フットセクション，フットレストセクション，フレームセクション，ベッドセクション，レッグレストセクション，上部フレーム部材，枢動フレーム部材
２６  サイレストセクション
２８  シートセクション，フレームセクション
３０  セクション，バックレスト，バックレストセクション，フレーム部材
３２  ヒンジ，枢動軸
３４  ヒンジ
３６  ヒンジ，ヒンジ点
３８  フレーム側壁，側壁，内側壁
４０  横支梁，横方向支梁，支持用支梁，支梁
４１  補強支梁
４２  サブフレーム
４４，１１６  支梁
５０  パネル，マットレス支持パネル，支持パネル
５２  パネル，マットレス支持パネル
５４  サイレスト，サイレストセクション，サイレストパネル，パネル，マットレス支持部材，レッグレストセクション，
５５  スナップ嵌合部材
５６  マットレス支持パネル，レッグレスト，レッグレストパネル
８０  パネル，患者支持パネル，患者保持パネル，保持パネル
８２  パネル，患者保持パネル，保持パネル
１１０  末端支梁
【図１】
2009501589.tif 000003
【図２】
2009501589.tif 000004
【図３】
2009501589.tif 000005
【図４】
2009501589.tif 000006
【図５Ａ】
2009501589.tif 000007
【図５Ｂ】
2009501589.tif 000008
【図６】
2009501589.tif 000009
【図７】
2009501589.tif 000010
【図８】
2009501589.tif 000011
【図９】
2009501589.tif 000012
【図１０】
2009501589.tif 000013
【図１１】
2009501589.tif 000014
【図１２】
2009501589.tif 000015
【国際調査報告】
2009501589.tif 000016
2009501589.tif 000017
2009501589.tif 000018